(57)【要約】      （修正有）【課題】米を分配して保存し、一定量の米を上部から衛生的に手早く取り出せる米入れケースを提供すること。【解決手段】蓋をして密閉出来る箱型の外ケース１の内部に、同じ高さの定量容器を米が入る隙間がないように水平に並べ、補充した米の表面を平らにする事で、定量容器を満杯にして米を一度に計量する。その定量容器に米を水平に広げる時に邪魔にならない取っ手を備える事で、米を炊く時には、毎回米に触れずに手早く定量の米を取り出す。【選択図】図１
2019080887.tif 000002
【特許請求の範囲】
【請求項１】
蓋をして密閉出来る箱型外ケースの内部に、複数の箱型定量容器を、開口部を上にして隙間なく同じ高さに水平に並べた米入れケースにおいて、加圧によってのみ水平に撓い、米粒より薄い取っ手を、向かい合う側面に取り付けてなる複数の箱型定量容器を、蓋をして密閉出来る箱型外ケースの内部に開口部を上にして隙間なく同じ高さに水平に並べた所の米入れケース。
【請求項２】
蓋をして密閉出来る箱型外ケースの内部に、複数の箱型定量容器を、開口部を上にして隙間なく同じ高さに水平に並べた米入れケースにおいて、箱型外ケースの高さにほぼ等しい取っ手を一つのみ設けた複数の箱型定量容器を、取っ手を箱型外ケースの内壁に隣接させ、開口部を上にして隙間なく同じ高さに水平に並べた所の米入れケース。
【請求項３】
蓋をして密閉出来る箱型外ケースの底面に対して平行に、かつ底面より数センチ上部に設けた金網の上に、前記定量容器を載せた所の請求項１、又は請求項２の米入れケース。
【請求項４】
蓋をして密閉出来る箱型外ケースの内壁と前記定量容器の間に、着脱自在な仕切りを設けた所の請求項１、または請求項２、または、請求項３の米入れケース。
【発明の詳細な説明】
【技術分野】
【０００１】  本発明は、米を一定量に分配して保管し、一定量を簡単に上部から取り出せる米入れケースに関するものである。
【背景技術】
【０００２】  米を上部から取り出せる米びつはあった（たとえば、特許文献１参照。）。又穀類などを複数の定量容器に分配して計量する方法は昔からあった。【０００３】  従来の米を上から取り出す米びつは、その都度、計量カップで米を量り取る必要がある。又、昔からある、穀類などを定量容器に分配する方法では、各定量容器に個別の取っ手はなかったので、複数の定量容器を外側ケースの内部に隙間なく並べた場合は、取り出すのは困難である。
【先行技術文献】
【特許文献】
【０００４】
【特許文献１】意匠登録第１４３２６１５号広報
【発明の概要】
【発明が解決しようとする課題】
【０００５】  特許文献１に示される従来の米びつは、調理する度に米を計量カップで量り取る必要がある。この方法では手間がかかるし、手に付着した水分や細菌はカビの誘因になる。又在庫する米で最大何合まで、調理出来るのか正確には分からないので、購入計画を立てる場合などには不便である。【０００６】  解決するもう一つの問題点は、昔から行われている穀類などを定量容器に入れて、販売する場合と違い、米入れケースの内部に隙間なく並べた定量容器は、取り出しにくい。しかし、定量容器に一般的な取っ手を設けると、取っ手の突起部分は、補充した米を水平に広げる時の妨げになる。又補充した米が、定量容器に入らず、取っ手の上に乗ってしまう可能性もある。【０００７】  本発明では、米を一定量に分配して保管し、かつ、一定量の米を上部から衛生的に手早く取り出せる米入れケースを実現する事を目的とする。
【課題を解決するための手段】
【０００８】  本発明は、上記目的を達成する為に米を一定の容器に分配して保存し、その容器に、米を水平に広げて分配する時に妨げとならない取っ手を設けたものである。
【発明の効果】
【０００９】  冷蔵庫や、システムキッチンの引き出しでは、主に米を上部から取り出す米びつを使う。米を取り出す時に、容器を逆さまにする構造の米入れも、稀に使われるが、量が多くなると重いので使いにくい。本発明の米入れケースは、冷蔵庫や、引き出しからでも清潔に早く定量の米を取り出せるという利点がある。又、保存している米の分量を常に把握出来るので米の購入計画も立てやすい。【００１０】  米を上部から補充し、かつ、上部から米を取り出す従来の米びつの場合、残り少ない古い米の上から新しい米を補充すると古い米はいつまでも調理出来ない。そこで、次回の補充時には、少なくなった米を別に分けて、新しい米を入れる必要がある。本発明の米入れケースは、米の補充時に、一合、二合などの定量容器に満たない、半端な米と前記の定量容器にすりきりになって、調理出来る米を一度の操作で分ける事が出来るので、半端になった米を残すのが容易になり、新しい米の補充がスムースに出来る。
【図面の簡単な説明】
【００１１】
【図１】本発明の実施の形態１に係る蓋を外し、米を補充する前の米入れケースの斜視図である。
【図２】本発明の実施の形態１に係る一合の容器の単体の斜視図である。
【図３】本発明の実施の形態１に係る蓋をし、米を補充した時の図１におけるＡ―Ａ線断面図である。
【図４】本発明の実施の形態２に係る蓋と、一合の定量容器をすべて取り除いた時の米入れケースの平面図である。
【図５】本発明の実施の形態２に係る一合の容器の単体の斜視図である。
【図６】本発明の実施の形態２に係る図４において一合の定量容器をすべて置いた時のＢ―Ｂ線断面図である。
【発明を実施するための形態】
【００１２】  以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。また、図面では各構成部材の大きさの関係が実際のものとは異なる場合がある。
【００１３】  実施の形態１
図１は、実施の形態１に係る、蓋を外して、米を補充する前の斜視図である。図２は、実施の形態１に係る、一合の容器Ａの一個の斜視図である。図３は、蓋をし、２キログラムの米を補充した時の図１におけるＡ―Ａ線断面図である。実施の形態１では、２キログラムの米入れケースを例にして、一合の容器Ａを１５個使用する。
【００１４】  ２キログラム用の米入れケースは、約１３．３合の米を入れるので、図１に示すように、一合の容器Ａ２を１５個用意し、外ケース１の内部に、開口部を上にして隙間なく並べる。
【００１５】  一合の容器Ａ２の側面に、図２に示すように、満杯の米の表面より突起した取っ手Ａ３を設ける。取っ手Ａ３は、米粒の幅より薄くする。あるいは、米が乗る可能性の有る場所の表面に丸味を持たせる。取っ手Ａの素材は、加圧した時のみ容易に水平に撓う物質を用いる。取っ手Ａは一合の容器Ａ２の向かい合う側面に、それぞれ１個ずつ取り付ける。
【００１６】  外ケース１と、最終列、あるいは最前列の定量容器の間に隙間埋め用部材４を設けて、外ケースと一合の容器Ａ、あるいは各一合の容器Ａ間の隙間を埋める。
【００１７】  米を袋から出し、米入れケースの手前に入れ、米の表面を手前から平にしていき、一合の容器Ａ２を“すりきり”にしていく。２キログラムの米は、約１３，３合なので、図１に示した前から４列、つまり１２個の一合の容器Ａが理論的には満杯になり、残りの１．３合の米は、最終列に入る。図３に示す一合に満たない米１５は、次回の補充時まで残しておく米である。蓋５をかぶせて保存する。
【００１８】  米を調理する時は、蓋５を開け、隙間埋め用部材４を外して隙間を作る。次に取っ手Ａ３を引上げて一合の容器Ａ２を外ケースから出し、米を調理容器に移す。空になった一合の容器Ａは元の位置に戻す。これを繰り返して調理に必要な量を量り取る。
【００１９】  一合の米１４をすべて調理した後は、米入れケースの前後を入れ替えるなどして、一合に満たない米１５を手前にしてから、図１の状態にリセットする。米入れケースに入れる米の量が２キログラムより少し増えるので入らない場合は、すぐ使う分を調理容器に移すなどして調節する。手前の一合の容器Ａから調理する。
【００２０】  ＜実施の形態１の効果＞
以上、本実施の形態１に係る米入れケースによれば、補充した米を広げて、表面を平にするだけで、米を一度に計量出来、ひと目で、最大で何合の米を調理できるか知る事が出来る。又古い米を早めに調理できる。
【００２１】  実施の形態２
以下、本発明の実施の形態２を説明する。実施の形態１と重複するものについては、一部の説明を省略し、実施の形態１と同じ部分、又は相当する部分には、同じ符号を付す。
【００２２】  図４は、本発明の実施の形態２に係る蓋５と、一合の容器Ｂを除いた時の米入れケースの平面図である。図５は、本発明の実施の形態２に係る一合の容器Ｂ１０の単体の斜視図である。実施の形態２では、一合の容器Ｂ１０は、取っ手Ｂ１１を一つのみ設けた長方形の箱型容器である。図６は、本発明の実施の形態２に係る、一合の容器Ｂ１０をすべて置き、隙間をなくして米を補充する前の、図４におけるＢ―Ｂ線断面図である。実施の形態２では、２キログラムの米入れケースを例にして、一合の容器Ｂを１４個使用する。
【００２３】  図６に示すように、一合の容器Ｂ１０の取っ手Ｂ１１を外ケース１に隣接させて、７個を並べる。２列で１４合になり、２キロブラム、つまり１３，３合を保存できる。取っ手Ｂ１１は米補充時に邪魔にならないように、外ケース１の高さにほぼ等しくする。又米が乗る可能性のある部分は、丸味を設けて米粒が滑り落ちる形にする。
【００２４】  一合の容器Ｂ１０を取り出す時に隙間が必要な場合は、外ケース１の内部に仕切り９を設ける。図６に示すように米補充時には、仕切り９をストッパー８と一合の容器Ｂ１０の間に置く。ストッパー８は、外ケース１の内壁に、一合の容器Ｂ１０が隙間なく並ぶ位地に設ける。一合の容器Ｂ１０を取り出す時は、仕切り９を隙間１３に置いて、各一合の容器Ｂ１０の間に隙間を作る。
【００２５】  外ケースの底に落ちた米を回収しやすくする為には、外ケース１の底部に金網ホルダー１２を設け、外ケース１の底面に平行に金網６を載せる。金網の表面は、丸みがあり米が滑り落ちる形にする。金網の上に一合の容器Ｂ１０を前述のように２列に並べる。以下、実施の形態１に示したように米を分配して保存する。新しい米を補充する前に、一合容器Ｂ１０をすべて載せたまま、金網の持ち手７を引上げ、外ケース１の外に出す。外ケースの米を回収する。
【００２６】  ここでは、一合の容器Ｂで説明したが、外ケース１の内部に並べる定量容器を３合にすると、３合が一度に量り取れる。又３合容器の内壁に小さな突起を設け一合容器を逆さまに入れておけば２合も計量できる。
【００２７】  ＜実施の形態２の効果＞
本実施の形態２に係る米入れケースによれば、補充した米を定量に分配し、簡単に取り出す事が出来る。又、こぼれた米の回収に便利である。
【産業上の利用可能性】
【００２８】  本発明は、システムキッチンの引き出しや、冷蔵庫でも使用出来る。
【符号の説明】
【００２９】１  外ケース
２  一合の容器Ａ
３  取っ手Ａ
４  隙間埋め用部材
５  蓋
６  金網
７  金網の持ち手
８  ストッパー
９  仕切り
１０  一合の容器Ｂ
１１  取っ手Ｂ
１２  金網ホルダー
１３  隙間
１４  一合の米
１５  一合に満たない米
【図１】
2019080887.tif 000003
【図２】
2019080887.tif 000004
【図３】
2019080887.tif 000005
【図４】
2019080887.tif 000006
【図５】
2019080887.tif 000007
【図６】
2019080887.tif 000008